(57)【要約】【課題】任意のデータを中継局でＡＣキャリアに乗せて伝送する。【解決手段】受信アンテナ１１で受けたＯＦＤＭ放送信号は、等化器１２でマルチパス妨害成分、回り込み妨害成分が除去され、ＡＣキャリア消去部１３で親局ＡＣキャリアが消去され、ＡＣキャリア挿入部１４で中継局ＡＣキャリアが挿入されて送信アンテナ１５から管轄エリアに向けて送出される。上記ＡＣキャリア消去部１３は、第１のＡＣ生成部１６にて生成される親局ＡＣキャリアのレプリカを等化器１２の出力信号から減算する。また、ＡＣキャリア挿入部１４は、第２のＡＣ生成部１７にて生成される中継局ＡＣキャリアを親局ＡＣキャリアが消去された放送信号に加算する。これにより、中継装置で受信された放送信号は、親局ＡＣキャリアが消去され、任意の中継局ＡＣキャリアが挿入されて再送信される。【選択図】図１
2006279277.tif 000002
【特許請求の範囲】
【請求項１】
ＩＳＤＢ−Ｔ方式を用いた地上デジタル放送システムの中継局に用いられ、親局から伝送される放送信号を受信して管轄エリアに送信する中継装置において、
前記受信された放送信号から前記親局ＡＣキャリアを消去するＡＣキャリア消去手段と、
前記中継局ＡＣキャリアを生成して前記親局ＡＣキャリアが消去された放送信号に挿入するＡＣキャリア挿入手段とを具備し、
前記中性局ＡＣキャリアが挿入された放送信号を管轄エリアに送信することを特徴とする地上デジタル放送システムの中継装置。
【請求項２】
前記ＡＣキャリア消去手段は、
前記親局の送信ＡＣキャリアのレプリカを生成するレプリカ生成手段と、
前記受信された放送信号から前記レプリカにより前記親局ＡＣキャリアを減算する減算手段と、
を備えることを特徴とする請求項１記載の地上デジタル放送システムの中継装置。
【請求項３】
前記ＡＣキャリア挿入手段は、
前記中継局から提供されるＡＣデータをキャリア変調して前記中継局ＡＣキャリアを生成するＡＣキャリア生成手段と、
前記中継局ＡＣキャリアを前記親局ＡＣキャリアが消去された放送信号に加算する加算手段と、
を備えることを特徴とする請求項１記載の地上デジタル放送システムの中継装置。
【請求項４】
前記中継局から提供されるＡＣデータは、中継局毎に、既知で互いに独立の情報であることを特徴とする請求項１記載の地上デジタル放送システムの中継装置。
【請求項５】
前記中継局から提供されるＡＣデータは、中継局識別情報であることを特徴とする請求項４記載の地上デジタル放送システムの中継装置。
【請求項６】
前記親局から送信するＡＣキャリアに乗せられたデータが過渡的に変動するものであるとき、
前記ＡＣキャリア消去手段は、前記受信された放送信号をいったん周波数軸上の信号に戻して親局ＡＣキャリアを除去し、
前記ＡＣキャリア挿入手段は、前記ＡＣキャリア消去手段から出力される周波数軸上の信号に中継局ＡＣキャリアを挿入して時間軸上の信号に戻すことを特徴とする請求項１記載の地上デジタル放送システムの中継装置。
【発明の詳細な説明】
【技術分野】
【０００１】
本発明は、ＩＳＤＢ−Ｔ方式を用いた地上デジタル放送システムの中継装置に関する。
【背景技術】
【０００２】
我が国では、地上デジタル放送システムの標準仕様としてＩＳＤＢ−Ｔ方式を採用している。このＩＳＤＢ−Ｔ方式では、伝送フォーマットでＡＣ（Auxiliary Channel）キャリアの使用方法について規定している。その詳細は、非特許文献１に示されており、音声データ等の任意のデータの伝送を容認している。
【０００３】
上記ＩＳＤＢ−Ｔ方式のシステムでは、通常、親局側でＯＦＤＭ変調の際にＡＣキャリアマッピングを行い、親局から適宜データを送信する。中継局にて中継する場合は、親局の送信したＡＣ信号をそのまま再送信している。このため、従来は、中継局にて再送信号に乗せるＡＣキャリアのデータを変更することはできなかった。
【非特許文献１】ＡＲＩＢ−ＳＴＤ−Ｂ３１参考資料２
【発明の開示】
【発明が解決しようとする課題】
【０００４】
以上述べたように、ＩＳＤＢ−Ｔ方式の地上デジタル放送システムでは、中継局でのＡＣキャリアの利用が想定されていなかった。
【０００５】
本発明は、上記の問題を解決するために、中継局でのＡＣキャリアによるデータ伝送を可能とする地上デジタル放送システムの中継装置を提供することを目的とする。
【課題を解決するための手段】
【０００６】
上記の目的を達成するために、本発明は、ＩＳＤＢ−Ｔ方式を用いた地上デジタル放送システムの中継局に用いられ、親局から伝送される放送信号を受信して管轄エリアに送信する中継装置において、前記受信された放送信号から前記親局ＡＣキャリアを消去するＡＣキャリア消去手段と、前記中継局ＡＣキャリアを生成して前記親局ＡＣキャリアが消去された放送信号に挿入するＡＣキャリア挿入手段とを具備し、前記中継局ＡＣキャリアが挿入された放送信号を管轄エリアに送信することを特徴とする。
【発明の効果】
【０００７】
上記した発明によれば、中継局で受信された放送信号中の親局ＡＣキャリアを消去し、中継局で生成された中継局ＡＣキャリアを挿入して管轄エリアに送信することが可能となり、これによって任意のデータを中継局でＡＣキャリアに乗せて伝送することが可能な地上デジタル放送システムの中継装置を提供することができる。
【発明を実施するための最良の形態】
【０００８】
以下、本発明の実施の形態について図面を参照して詳細に説明する。
【０００９】
（第１の実施形態）
図１は本発明に係る地上デジタル放送システムの中継装置の第１の実施形態の構成を示すブロック図である。本システムでは、ＳＦＮ（単一周波数網）が採用されており、本実施形態の中継装置は、親局（ここでは送信元を意味する）からの放送波を受信して同一周波数で再送信によるＳＦＮ中継を実施するものとする。
【００１０】
図１において、１１は受信アンテナであり、この受信アンテナ１１で受けたＯＦＤＭ放送信号（周波数ｆ１）は、等化器１２に入力され、時間軸上でマルチパス妨害成分、回り込み妨害成分が除去される。等化器１２の出力はＡＣキャリア消去部１３、ＡＣキャリア挿入部１４に順次入力され、ここでデジタル放送信号中のＡＣキャリアが時間軸上で消去され、任意のデータ信号で変調されたＡＣキャリアを時間軸上でデジタル放送信号に乗せることが可能となっている。上記ＡＣキャリア挿入部１４の出力は送信アンテナ１５から管轄エリアに向けて送出される。
【００１１】
上記ＡＣキャリア消去部１３は、第１のＡＣ生成部１６にて生成される親局の送信するＡＣキャリアのレプリカを入力して等化器１２の出力信号から減算する。また、ＡＣキャリア挿入部１４は、第２のＡＣ生成部１７にて生成される中継局の送信するＡＣキャリアを入力して、親局ＡＣキャリアが消去された信号に加算する。これにより、中継装置で受信された放送信号は、親局ＡＣキャリアが消去され、任意の中継局ＡＣキャリアが挿入されて再送信される。
【００１２】
以上の構成によれば、中継局で受信された放送信号中の親局ＡＣキャリアを消去し、中継局で生成された中継局ＡＣキャリアを挿入して管轄エリアに送信することが可能となり、これによって任意のデータを中継局でＡＣキャリアに乗せて伝送することができる。
【００１３】
尚、各中継局にて、個別にＡＣキャリアを乗せて送信したとすると、ＳＦＮでは異なるＡＣが混信することになり、キャリア再生に影響を与えるが、現状は時間軸のカード相関が主となってキャリア再生を行っているので、実害は生じないと想定される。
【００１４】
（第２の実施形態）
図２は、本発明に係る地上デジタル放送システムの中継装置の第２の実施形態の構成を示すブロック図である。尚、図２において、図１と同一部分には同一符号を付して示し、ここでは異なる部分について説明する。
【００１５】
図２において、等化器１２の出力はＦＦＴ（高速フーリエ変換）処理部２１によって時間軸上の信号から周波数軸上の信号に変換された後、ＡＣキャリア分離部２２で親局ＡＣキャリアが分離（消去）され、代わって中継局ＡＣキャリアが挿入される。そして、ＩＦＦＴ（逆高速フーリエ変換）処理部２３によって時間軸上の信号に戻されて送信アンテナ１５に送出される。
【００１６】
上記構成によれば、受信信号をいったん周波数軸上の信号に変換してＡＣキャリアの周波数成分を除去し、そのＡＣキャリアに中継局ＡＣキャリアを乗せた後、時間軸上の信号に戻して再送信信号を生成するようにしているので、親局ＡＣキャリアに乗せられたデータ内容にかかわらず、中継局にて任意のデータをＡＣキャリアに乗せて伝送することが可能となる。
【００１７】
（運用例）
上記構成において、以下、具体的な運用例について説明する。
【００１８】
ＡＲＩＢ−ＳＴＤ−Ｂ３１の参考資料２には、音声データと伝送する方法案が示されている。仮にこの手段で実現した場合、中継局において音声は未知である。このため、中継装置を第２の実施形態の構成とすれば、いったん周波数軸信号に戻されるため、ＡＣキャリアの内容が未知であっても除去可能である。
【００１９】
また、ＡＲＩＢ−ＳＴＤ−Ｂ３１の参考資料２には、その他のデータを伝送する方法案も示されている。仮にこの方法を実現したとすると、その他のデータとして、送信制御データや装置ＩＤデータをＡＣキャリアに乗せて伝送することになる。
【００２０】
ISDB-T_information内の伝送パラメータ切換指標に、ＴＭＣＣ情報の伝送パラメータ切換指標が記述されている。カウントダウン開始とともに、次の送信制御データが受信できるので、予想されるＡＣ信号を準備しておくことが可能となる。このため、送信制御データは、カウントダウンすることにより、中継局側で既知のデータとみなすことができる。また、装置ＩＤデータも既知のデータである。これらの時間軸で既知のデータは、図１に示した第１の実施形態のような時間軸処理にて、ＡＣキャリアデータを除去することが可能である。
【００２１】
このように、ＡＣキャリアデータを除去後、新たにＡＣキャリアデータを乗せることにより、中継局固有のＡＣキャリアデータを送出することが可能になる。特に、ＳＦＮ環境では、複数の放送局から同時に同じ信号が発信されるため、中継局固有のＡＣキャリアデータを送出することにより、フィールド等において受信信号の調査・解析する場合、受信信号がどの局から発信された信号であるのか、ＡＣキャリアで伝送した装置ＩＤデータを解析することで簡単にわかる。ＭＦＮ環境にても、ＡＣキャリアで伝送した装置ＩＤデータを解析することで、送信所がわかり、どの局が発信した信号であるのかを認識できる。
【００２２】
現在、ＳＦＮ環境において、フィールド等で受信信号の発信局を特定することはできない。したがって、上記のように発信局を特定できれば、受信信号に不具合がある場合、どの局の信号に問題（不具合）があるのか、調査・解析することが可能であるから、環境整備に際して非常に有効な手がかりが得られる。
【００２３】
また、送信制御データをＡＣキャリアにて伝送した場合、送信制御データが定常的に変動しないデータであれば、定常的には、送信制御データの除去は可能であるが、過渡的変動には追従できない。このような場合は、第２の実施形態の構成により、いったん周波数軸上の信号に変換した上でＡＣキャリアを乗せ替えることにより、中継局にて送信制御データの除去と挿入が可能である。
【００２４】
尚、本発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２５】
【図１】本発明に係る地上デジタル放送システムの中継装置の第１の実施形態の構成を示すブロック図。
【図２】本発明に係る地上デジタル放送システムの中継装置の第２の実施形態の構成を示すブロック図。
【符号の説明】
【００２６】
１１…受信アンテナ、
１２…等化器、
１３…ＡＣキャリア消去部、
１４…ＡＣキャリア挿入部、
１５…送信アンテナ、
１６…第１のＡＣ生成部、
１７…第２のＡＣ生成部、
２１…ＦＦＴ処理部、
２２…ＡＣキャリア分離部、
２３…ＩＦＦＴ処理部。
【図１】
2006279277.tif 000003
【図２】
2006279277.tif 000004